(57)【要約】【課題】  ＯＦＤＭ通信装置及び方法を提供する。【解決手段】  ＯＦＤＭ通信システムを利用してデジタル信号を送受信する方法である。これにより、送信側では、使用可能な帯域幅によって副搬送波を適切に分割してグルーピングした後に独立的に送信し、受信側では、副搬送波グループを合算して本来の信号を復元することにより、無線認知技術と結合する場合に効率的に無線資源を活用しうる。【選択図】      図３Ａ
2008125070.tif 000002
【特許請求の範囲】
【請求項１】
使用可能な周波数帯域によって基底帯域のデジタル信号を分割するステップと、
前記分割された信号に対して独立的にＩＦＦＴを行って副搬送波を生成するステップと、
前記生成された副搬送波を前記使用可能な周波数帯域を通じて伝送するステップと、を含むことを特徴とするデジタル信号の伝送方法。
【請求項２】
無線認知技術を利用して前記使用可能な周波数帯域を探索するステップをさらに含むことを特徴とする請求項１に記載のデジタル信号の伝送方法。
【請求項３】
前記伝送ステップは、
前記分割された信号に対応する副搬送波グループを独立的に低域通過フィルタリングするステップと、
前記低域通過フィルタリングされた副搬送波グループを異なるＲＦ周波数を利用して独立的に変調するステップと、
前記変調された信号を伝送するステップと、を含むことを特徴とする請求項１に記載のデジタル信号の伝送方法。
【請求項４】
前記変調するステップは、前記低域通過フィルタリングされた副搬送波グループのそれぞれを異なるＲＦ周波数を利用して周波数上向き変換することを特徴とする請求項３に記載のデジタル信号の伝送方法。
【請求項５】
前記低域通過フィルタリングするステップは、副搬送波グループの帯域幅によって可変的に低域通過フィルタリングすることを特徴とする請求項３に記載のデジタル信号の伝送方法。
【請求項６】
前記変調ステップは、前記副搬送波グループ別に異なる周波数のＲＦ信号を利用して行い、
前記異なるＲＦ周波数の信号は、一つのＰＬＬから出力された信号を周波数分配器及び／または周波数逓倍器を通じて生成することを特徴とする請求項３に記載のデジタル信号の伝送方法。
【請求項７】
請求項１ないし５のうち何れか一項に記載の方法を実行するプログラムを記録したコンピュータで読み取り可能な記録媒体。
【請求項８】
使用可能な周波数帯域によって基底帯域のデジタル信号を分割する分割部と、
前記分割された信号に対して独立的にＩＦＦＴを行って副搬送波を生成するＩＦＦＴ実行部と、
前記生成された副搬送波を前記使用可能な周波数帯域を通じて伝送する伝送部と、を備えることを特徴とするデジタル信号伝送装置。
【請求項９】
無線認知技術を利用して前記使用可能な周波数帯域を探索する無線認知部をさらに備えることを特徴とする請求項８に記載のデジタル信号伝送装置。
【請求項１０】
前記伝送部は、
前記分割された信号に対応する副搬送波グループを独立的に低域通過フィルタリングする低域通過フィルタと、
前記低域通過フィルタリングされた副搬送波グループを異なるＲＦ周波数を利用して独立的に変調するミキサーと、
前記変調された信号を伝送するＲＦ送信部と、を備えることを特徴とする請求項８に記載のデジタル信号伝送装置。
【請求項１１】
前記ミキサーは、前記低域通過フィルタリングされた副搬送波グループのそれぞれを異なるＲＦ周波数を利用して周波数上向き変換することを特徴とする請求項１０に記載のデジタル信号伝送装置。
【請求項１２】
前記低域通過フィルタは、副搬送波グループの帯域幅によって可変的に低域通過フィルタリングすることを特徴とする請求項１０に記載のデジタル信号伝送装置。
【請求項１３】
所定周波数のＲＦ信号を生成するＰＬＬ回路と、
前記ＰＬＬ回路から出力された信号から異なる周波数のＲＦ信号を生成するための周波数分配器及び／または周波数逓倍器と、をさらに備え、
前記ミキサーは、前記周波数分配器及び／または周波数逓倍器から生成された異なる周波数のＲＦ信号を利用して前記副搬送波グループを変調することを特徴とする請求項１０に記載のデジタル信号伝送装置。
【請求項１４】
異なる周波数のＲＦ信号を利用して変調された副搬送波グループを受信するステップと、
前記副搬送波グループを構成する全ての副搬送波が基底帯域で所定順序によって隣接して配列されるように、前記副搬送波グループを独立的に復調するステップと、
前記副搬送波グループに対応する復調された信号に対して独立的にＦＦＴを行うステップと、
前記ＦＦＴの結果として出力される信号を合算するステップと、を含むことを特徴とするデジタル信号の受信方法。
【請求項１５】
前記復調ステップは、
前記受信された信号を異なる周波数のＲＦ信号を利用して独立的に周波数下向き変換するステップと、
前記周波数下向き変換された信号を該副搬送波グループの帯域幅によって可変的に低域通過フィルタリングするステップと、を含むことを特徴とする請求項１４に記載のデジタル信号の受信方法。
【請求項１６】
前記異なるＲＦ周波数の信号は、一つのＰＬＬから出力された信号を周波数分配器及び／または周波数逓倍器を通じて生成することを特徴とする請求項１５に記載のデジタル信号の受信方法。
【請求項１７】
請求項１２ないし１４のうち何れか一項に記載の方法を実行するプログラムを記録したコンピュータで読み取り可能な記録媒体。
【請求項１８】
異なる周波数のＲＦ信号を利用して変調された副搬送波グループを受信するＲＦ受信部と、
前記副搬送波グループを構成する全ての副搬送波が基底帯域で所定順序によって隣接して配列されるように前記副搬送波グループを独立的に復調する復調部と、
前記副搬送波グループに対応する復調された信号に対して独立的にＦＦＴを行うＦＦＴ実行部と、
前記ＦＦＴの結果として出力される信号を合算する合算部と、を備えることを特徴とするデジタル信号受信装置。
【請求項１９】
前記復調部は、
前記受信された信号を異なる周波数のＲＦ信号を利用して独立的に周波数下向き変換するミキサーと、
前記周波数下向き変換された信号を該副搬送波グループの帯域幅によって可変的に低域通過フィルタリングする低域通過フィルタと、を備えることを特徴とする請求項１８に記載のデジタル信号受信装置。
【請求項２０】
所定周波数のＲＦ信号を生成するＰＬＬ回路と、
前記ＰＬＬ回路から出力された信号から異なる周波数のＲＦ信号を生成するための周波数分配器及び／または周波数逓倍器と、をさらに備え、
前記ミキサーは、前記周波数分配器及び／または周波数逓倍器から生成された異なる周波数のＲＦ信号を利用して周波数下向き変換を行うことを特徴とする請求項１９に記載のデジタル信号受信装置。
【発明の詳細な説明】
【技術分野】
【０００１】
本発明は、無線通信方法に係り、さらに詳細には、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）通信システムを利用してデジタル信号を送受信する方法に関する。
【背景技術】
【０００２】
無線通信のための周波数資源を効率的に使用するために、最近、無線認知技術についての研究が活発に進められている。図１Ａに示したように、一般的に、無線通信に使われる周波数資源は、多様な無線通信技術の標準に重複されないように割当てられている。したがって、特定標準によって通信するデバイスは、該当標準に割当てられたチャンネルが何れも使用中であれば、たとえ他の通信標準に割当てられたチャンネルが使用可能であるとしても、通信が不可能な状態となる。
【０００３】
無線認知技術は、地域及び時間によって使われていない無線チャンネルを探して使用可能にする技術であって、無線認知技術によれば、図１Ｂに示したように、特定時間に周波数帯域に関係なく、使用可能なチャンネルを検索して使用できる。
【０００４】
図２Ａないし図２Ｃは、ＯＦＤＭ通信方法を説明するための図である。
【０００５】
図２Ａは、ＯＦＤＭ送信装置を説明するためのブロック図であるが、デジタル信号が入力されれば、並列化器（Ｓ／Ｐ：Ｓｅｒｉａｌ  ｔｏ  Ｐａｒａｌｌｅｌ）２１では、デジタル信号を高速逆フーリエ変換（Ｉｎｖｅｒｓｅ  Ｆａｓｔ  Ｆｏｕｒｉｅｒ  Ｔｒａｎｓｆｏｒｍ：ＩＦＦＴ）器２２に入力される信号数ほど分割する。図２Ａでは、３−ｐｏｉｎｔのＩＦＦＴを仮定した。ＩＦＦＴ器２２は、入力された信号に対してＩＦＦＴを行う。ＩＦＦＴを行えば、複数の副搬送波に該当するデジタル信号が出力されるが、ＩＦＦＴ及びフーリエ変換は、既に多様な文献を通じて公知されているので、これについての詳細な説明は省略する。
【０００６】
直列化器（Ｐ／Ｓ：Ｐａｒａｌｌｅｌ  ｔｏ  Ｓｅｒｉａｌ）２３は、ＩＦＦＴ器２２から出力した信号を合算して直列信号にし、Ｄ／Ａ（Ｄｉｇｉｔａｌ−ｔｏ−Ａｎａｌｏｇ）変換器２４は、直列化器２３から出力したデジタル信号をアナログ信号に変換する。ミキサー２５では、ＲＦ（無線周波数）周波数を有する搬送波を利用して周波数上向き変換を行う。
【０００７】
図２Ｂ及び図２Ｃでは、それぞれ図２Ａの（１）及び（２）から出力された信号を周波数ドメインで表した。すなわち、図２Ｂに示したように、ＩＦＦＴを通じて生成された基底帯域の副搬送波は、ミキサー２５を経て搬送波の周波数帯域に位置するＲＦ信号に変調され、変調されたＲＦ信号は、空気中に伝送される。
【０００８】
このようなＯＦＤＭシステムでは、無線認知技術を利用して使用可能な周波数資源を探しても、使用していない周波数帯域幅が副搬送波の帯域幅より狭い場合には、このような周波数資源を活用できなくなる。
【発明の開示】
【発明が解決しようとする課題】
【０００９】
本発明は、ＯＦＤＭシステムで副搬送波を分割して独立的に伝送することにより、周波数資源を効率的に使用可能にする装置及び方法を提供することを目的とする。
【課題を解決するための手段】
【００１０】
前記目的を達成するための本発明は、デジタル信号の伝送方法において、使用可能な周波数帯域によって基底帯域のデジタル信号を分割するステップと、前記分割された信号に対して独立的にＩＦＦＴを行うステップと、前記ＩＦＦＴによって生成された副搬送波を前記使用可能な周波数帯域を通じて伝送するステップと、を含むことを特徴とする。
【００１１】
前記デジタル信号の伝送方法は、無線認知技術を利用して使用可能な周波数帯域を探索ステップをさらに含むことが望ましい。
【００１２】
前記伝送ステップは、前記分割された信号に対応する副搬送波グループを独立的に低域通過フィルタリングするステップと、前記低域通過フィルタリングされた副搬送波グループを異なるＲＦ周波数を利用して独立的に変調するステップと、前記変調された信号を伝送するステップと、を含むことが望ましい。
【００１３】
前記低域通過フィルタリングするステップは、副搬送波グループの帯域幅によって可変的に低域通過フィルタリングすることが望ましい。
【００１４】
前記変調ステップは、前記副搬送波グループ別に異なる周波数のＲＦ信号を利用して行われ、前記異なるＲＦ周波数の信号は、一つのＰＬＬ（Ｐｈａｓｅ  Ｌｏｃｋｅｄ  Ｌｏｏｐ）から出力された信号を周波数分配器及び／または周波数逓倍器を通じて生成することが望ましい。
【００１５】
また、本発明は、前記デジタル信号の伝送方法をコンピュータで実行させるための方法を記録したコンピュータで読み取り可能な記録媒体を提供する。
【００１６】
また、本発明は、デジタル信号伝送装置において、使用可能な周波数帯域によって基底帯域のデジタル信号を分割する分割部と、前記分割された信号に対して独立的にＩＦＦＴを行うＩＦＦＴ実行部と、前記ＩＦＦＴによって生成された副搬送波を前記使用可能な周波数帯域を通じて伝送する伝送部と、を備えることを特徴とする。
【００１７】
また、本発明は、デジタル信号の受信方法において、異なる周波数のＲＦ信号を利用して変調された副搬送波グループを受信するステップと、前記副搬送波グループを構成する全ての副搬送波が基底帯域で所定順序によって隣接して配列されるように前記副搬送波グループを独立的に復調するステップと、前記副搬送波グループに対応する復調された信号に対して独立的に高速フーリエ変換（ＦＦＴ：Ｆａｓｔ  Ｆｏｕｒｉｅｒ  Ｔｒａｎｓｆｏｒｍ）を行うステップと、前記ＦＦＴの結果として出力される信号を合算するステップとを含むことを特徴とする。
【００１８】
前記復調ステップは、前記受信された信号を異なる周波数のＲＦ信号を利用して独立的に周波数下向き変換するステップと、前記周波数下向き変換された信号を該副搬送波グループの帯域幅によって可変的に低域通過フィルタリングするステップとを含むことが望ましい。
【００１９】
また、本発明は、前記デジタル信号の受信方法をコンピュータで実行させるための方法を記録したコンピュータで読み取り可能な記録媒体を提供する。
【００２０】
また、本発明は、デジタル信号受信装置において、異なる周波数のＲＦ信号を利用して変調された副搬送波グループを受信するＲＦ受信部と、前記副搬送波グループを構成する全ての副搬送波が基底帯域で所定順序によって隣接して配列されるように前記副搬送波グループを独立的に復調する復調部と、前記副搬送波グループに対応する復調された信号に対して独立的にＦＦＴを行うＦＦＴ実行部と、前記ＦＦＴの結果として出力される信号を合算する合算部と、を備えることを特徴とする。
【発明の効果】
【００２１】
本発明によれば、ＯＦＤＭシステムの副搬送波間の直交性を活用して、データを所望の帯域幅ほど分割して送受信できるので、これから、無線認知技術と結合して効率的に無線資源を活用しうる。
【発明を実施するための最良の形態】
【００２２】
以下、添付された図面を参照して、本発明の望ましい実施形態を詳細に説明する。
【００２３】
図３Ａ及び図３Ｂは、本発明によるＯＦＤＭ通信システムを説明するための図である。
【００２４】
図３Ａは、本発明によるデジタル信号伝送装置の構造を示すブロック図である。図３Ａに示したように、本発明によるデジタル信号伝送装置では、副搬送波分割器がデジタル信号を適切に分割して複数の副搬送波グループを生成させる。すなわち、使用可能な周波数資源、すなわち帯域幅によって副搬送波の数を適切に調節することにより、副搬送波グループのそれぞれの帯域幅を決定する。
【００２５】
副搬送波分割器によって分割された信号は、それぞれ独立的にＩＦＦＴされた後、アナログ信号に変換される。アナログ信号は、低域通過フィルタリングされた後、それぞれ異なる周波数の搬送波によってＲＦ信号に変調される。もちろん、この時に使われる搬送波の周波数は、現在使用可能な周波数帯域がどこかによって決定される。現在使用した周波数帯域は、無線認知技術として探索される。
【００２６】
図３Ｂは、本発明によるデジタル信号受信装置の構造を示すブロック図である。図３Ｂに示したデジタル信号受信装置の動作は、図３Ａに示したデジタル信号伝送装置の動作と逆順である。
【００２７】
すなわち、無線チャンネルを通じて伝送された副搬送波グループが受信されれば、各搬送波グループを異なる周波数の搬送波を利用して基底帯域で隣接する信号となるように復調し、低域通過フィルタリングをした後、Ａ／Ｄ変換器でフィルタリングされた信号をデジタル信号に変換する。
【００２８】
このデジタル信号は、ＦＦＴされ、ＦＦＴされて出力された信号は、副搬送波合算器によって合算されて本来の信号の形態に復元される。
【００２９】
図４は、本発明によってデジタル信号を伝送する方法を示すフローチャートである。
【００３０】
ステップ４０５で、無線認知技術を利用して使用可能な無線チャンネルの帯域幅を探索する。
【００３１】
ステップ４１０で、基底帯域のデジタル信号を複数個に分割する。分割されたそれぞれの信号は、独立された副搬送波グループを形成するが、各副搬送波グループの帯域幅は、ステップ４０５で探索された無線チャンネルの帯域幅によって決定される。すなわち、ステップ４１０で、基底帯域のデジタル信号を分割することは、ステップ４０５で探索された無線チャンネルの帯域幅に合うように副搬送波グループの帯域幅を適切に調節するためである。
【００３２】
ステップ４２０で、分割された信号のそれぞれに対して独立的にＩＦＦＴが行われ、ステップ４３０では、ＩＦＦＴされた信号をアナログ信号に変換する。
【００３３】
ステップ４４０で、副搬送波グループに対して独立的に低域通過フィルタリングを行う。すなわち、一つの副搬送波グループに対して一つの低域通過フィルタが使われる。副搬送波グループの帯域幅は、時間によって変わり続けるので、ステップ４４０で使われる低域通過フィルタは、入力される副搬送波グループの帯域幅によってフィルタリング区間を変化させられねばならない。
【００３４】
ステップ４５０で、副搬送波グループを異なる周波数を有するＲＦ信号を利用して独立的に周波数上向き変換する。この時に使われるＲＦ信号の周波数は、ステップ４０５で探索された無線チャンネルの周波数によって決定され、このようなＲＦ信号は、副搬送波間の直交性が維持されるように一つの信号源から生成することが望ましい。水晶発振器の一つを使用して複数個のＰＬＬを作ることもあるが、ハードウェアの具現が難しく、ＰＬＬの非線形性によって周波数エラーが発生することがあるので、一つのＰＬＬから出力された信号を周波数分配器や周波数逓倍器を利用して必要な周波数のＲＦ信号を生成することが望ましい。
【００３５】
ステップ４６０で、周波数上向き変換されたＲＦ信号を伝送する。
【００３６】
図５は、本発明によってデジタル信号を受信する方法を示すフローチャートである。
【００３７】
ステップ５１０で、副搬送波グループに該当する信号を受信する。
【００３８】
ステップ５２０で、副搬送波グループを構成する全ての副搬送波が基底帯域で相互隣接して配列されるように、副搬送波グループは、独立的に周波数下向き変換される。このとき、各副搬送波グループに対して異なる周波数を有するＲＦ信号が使われるが、このようなＲＦ信号もやはり送信端と同様に、一つのＰＬＬから出力された信号から周波数分配器や周波数逓倍器を利用して必要な周波数のＲＦ信号を生成することが望ましい。
【００３９】
ステップ５３０で、周波数下向き変換された信号は、独立的に低域通過フィルタリングされ、したがって、副搬送波グループの数と同じ数の低域通過フィルタが使われる。副搬送波グループの帯域幅は、経時的に変化するものであるが、低域通過フィルタは、副搬送波グループの帯域幅によってフィルタリング区間を変化させられねばならない。
【００４０】
ステップ５４０で、低域通過フィルタリングされた信号は、デジタル信号に変換される。
【００４１】
ステップ５５０で、副搬送波グループに対応するデジタル信号のそれぞれに対して独立的にＦＦＴを行う。
【００４２】
ステップ５６０で、ＦＦＴの結果として出力された信号を合算して本来の信号を復元する。
【００４３】
図６は、本発明によるデジタル信号伝送装置の構造を示す図である。図６に示したように、本発明によるデジタル信号伝送装置６００は、分割部６１０、無線認知部６２０、ＩＦＦＴ実行部６３０、伝送部６４０、ＰＬＬ回路６５０、周波数分配器６６０及び周波数逓倍器６７０を備える。
【００４４】
無線認知部６２０は、無線認知技術を使用して使用可能な無線チャンネルを探索する。
【００４５】
分割部６１０は、無線認知部６２０の探索結果を参照して、基底帯域のデジタル信号を複数個に分割する。分割された各信号は、それぞれ副搬送波グループとなる。伝送部６４０は、副搬送波グループを使用可能な無線チャンネルに適切に分配して伝送するが、低域通過フィルタ６４１、ミキサー６４３及びＲＦ送信部６４２を備える。
【００４６】
低域通過フィルタ６４１は、ＩＦＦＴ実行部６３０から出力された信号を独立的に低域通過フィルタリングする。正確には、ＩＦＦＴ実行部６３０から出力された信号は、デジタル信号であるので、アナログ信号に変換された後に処理されるが、説明の便宜上、Ｄ／Ａ変換過程についての説明は省略した。以下でも、Ａ／Ｄ及びＤ／Ａについての説明は省略する。副搬送波グループの帯域幅は経時的に変わりうるので、低域通過フィルタ６４１は、入力される副搬送波グループの帯域幅によってフィルタリング区間を変化させることが望ましい。
【００４７】
ミキサー６４３では、低域通過フィルタリングされた信号を独立的にＲＦ信号に変調し、ＲＦ送信部６４２では、ＲＦ信号を空気中に伝送する。ミキサー６４３では、副搬送波グループのそれぞれを使用可能な無線チャンネルを通じて伝送するために周波数上向き変換をする。したがって、この時に使われるＲＦ信号は、異なる周波数を有するが、このようなＲＦ信号は、一つのＰＬＬ回路６５０から出力された信号から周波数分配器６６０及び／または周波数逓倍器６７０を利用して生成される。図６では、周波数分配器６６０及び周波数逓倍器６７０を何れも示したが、具現例によって何れか一つのみが使われることもある。
【００４８】
図７は、本発明によるデジタル信号受信装置の構造を示す図である。図７に示したように、本発明によるデジタル信号受信装置７００は、無線認知部７０５、ＲＦ受信部７１０、復調部７２０、ＦＦＴ実行部７４０、ＰＬＬ回路７５０、周波数分配器７６０、周波数逓倍器７７０及び合算部７８０を備える。
【００４９】
無線認知部７０５は、受信せねばならないデータが伝送される周波数帯域を探索する。ＲＦ受信部７１０は、無線チャンネルを通じて副搬送波グループを受信し、復調部７２０は、受信された副搬送波グループが基底帯域で隣接して配列されるように独立的に復調する。復調部７２０は、ミキサー７２１及び低域通過フィルタ７２２を備えるが、ミキサー７２１は、ＲＦ受信部７１０から受信した信号を独立的に周波数下向き変換し、低域通過フィルタ７２２は、周波数下向き変換された信号を独立的に低域通過フィルタリングする。副搬送波グループの帯域幅は、経時的に変わりうるので、低域通過フィルタ７２２は、入力される副搬送波グループの帯域幅によってフィルタリング区間を変化させることが望ましい。
【００５０】
一方、副搬送波グループの周波数下向き変換に使われるＲＦ信号は、異なる周波数を有するが、このようなＲＦ信号は、一つのＰＬＬ回路７５０から出力された信号から周波数分配器７６０及び／または周波数逓倍器７７０を利用して生成することが望ましい。
【００５１】
ＦＦＴ実行部７４０は、低域通過フィルタ７２２から出力された信号、すなわち、副搬送波グループに対して独立的にＦＦＴを行う。
【００５２】
合算部７８０は、ＦＦＴ実行部７４０から出力される信号を合算して基底帯域で隣接して配列された副搬送波グループに該当する信号を出力する。
【００５３】
図８は、本発明の一実施形態によってデジタル信号を送受信する方法を説明するための図である。図８には示されていないが、基底帯域のデジタル信号は、並列化器によって１０個の信号、すなわち１０個の副搬送波に分離され、分割器によって３個の副搬送波グループに分割された。１０個の副搬送波に順次に１ないし１０の参照番号を割り当てた。第１副搬送波グループは、１番ないし３番の副搬送波を含み、第２副搬送波グループは、４番ないし７番の副搬送波を含み、第３副搬送波グループは、８番ないし１０番の副搬送波を含む。本実施形態では、３個の副搬送波グループが生成されたので、送信側では、それぞれ３個のＩＦＦＴ実行部及びミキサーが使われ、受信側では、３個のミキサー及びＦＦＴ実行部が使われる。また、本実施形態では、４−ｐｏｉｎｔ  ＩＦＦＴを仮定した。
【００５４】
３つの副搬送波グループは、ＩＦＦＴ実行部を経てそれぞれｆａ、ｆｂ、ｆｃの周波数を有する搬送波によって周波数上向き変換された後に伝送される。このとき、ｆａ、ｆｂ、ｆｃは、使用されていない周波数帯域を通じて副搬送波グループを伝送するために探索された周波数であり、無線認知技術によって探索される。
【００５５】
受信側では、３つの副搬送波グループを受信して独立的に周波数下向き変換を行う。このとき、副搬送波グループに対してｆ１、ｆ２、ｆ３のＲＦ信号が使われるが、ｆ１、ｆ２、ｆ３は、３つの副搬送波グループを構成する副搬送波が周波数下向き変換後に基底帯域で順次に隣接して配列されるように設定される。例えば、第１副搬送波グループが本来の信号と同じ位置に配列されるためには、ｆａから３Δｆほどさらに周波数下向き変換されねばならない。ここで、Δｆは、サブチャンネル間隔、すなわち副搬送波の一つの帯域幅を意味する。
【００５６】
同じ方法で計算すれば、ｆ２は、ｆｂと同じであり、ｆ３＝ｆｃ−４Δｆとなる。このように周波数下向き変換された信号は、ＦＦＴ実行部で周波数ドメインの信号に変換され、合算部で合算されて本来の信号に復元される。
【００５７】
一方、前述した本発明の実施形態は、コンピュータで実行されるプログラムで作成可能であり、コンピュータで読み取り可能な記録媒体を利用して前記プログラムを動作させる汎用デジタルコンピュータで具現される。
【００５８】
前記コンピュータで読み取り可能な記録媒体は、マグネチック保存媒体（例えば、ＲＯＭ、フロッピー（登録商標）ディスク、ハードディスクなど）、光学的判読媒体（例えば、ＣＤ−ＲＯＭ、ＤＶＤなど）及びキャリアウェーブ（例えば、インターネットを通じた伝送）のような保存媒体を含む。
【００５９】
以上、本発明についてその望ましい実施形態を中心に説明した。当業者は、本発明が本発明の本質的な特性から逸脱しない範囲で変形された形態で具現されるということが分かる。したがって、開示された実施形態は、限定的な観点でなく、説明的な観点で考慮されねばならない。本発明の範囲は、前述した説明でなく、特許請求の範囲に現れており、それと同等な範囲内にある全ての差異点は、本発明に含まれていると解釈されねばならない。
【産業上の利用可能性】
【００６０】
本発明は、無線通信関連の技術分野に適用可能である。
【図面の簡単な説明】
【００６１】
【図１Ａ】無線認知技術を説明するための図である。
【図１Ｂ】無線認知技術を説明するための図である。
【図２Ａ】ＯＦＤＭ通信方法を説明するための図である。
【図２Ｂ】ＯＦＤＭ通信方法を説明するための図である。
【図２Ｃ】ＯＦＤＭ通信方法を説明するための図である。
【図３Ａ】本発明によるＯＦＤＭ通信システムを説明するための図である。
【図３Ｂ】本発明によるＯＦＤＭ通信システムを説明するための図である。
【図４】本発明によってデジタル信号を伝送する方法を示すフローチャートである。
【図５】本発明によってデジタル信号を受信する方法を示すフローチャートである。
【図６】本発明によるデジタル信号伝送装置の構造を示す図である。
【図７】本発明によるデジタル信号受信装置の構造を示す図である。
【図８】本発明の一実施形態によってデジタル信号を送受信する方法を説明するための図である。
【符号の説明】
【００６２】
６００  デジタル信号伝送装置
６１０  分割部
６２０  無線認知部
６３０  ＩＦＦＴ実行部
６４０  伝送部
６４１  低域通過フィルタ
６４２  ＲＦ送信部
６４３  ミキサー
６５０  ＰＬＬ回路
６６０  周波数分配器
６７０  周波数逓倍器
【図１Ａ】
2008125070.tif 000003
【図１Ｂ】
2008125070.tif 000004
【図２Ａ】
2008125070.tif 000005
【図２Ｂ】
2008125070.tif 000006
【図２Ｃ】
2008125070.tif 000007
【図３Ａ】
2008125070.tif 000008
【図３Ｂ】
2008125070.tif 000009
【図４】
2008125070.tif 000010
【図５】
2008125070.tif 000011
【図６】
2008125070.tif 000012
【図７】
2008125070.tif 000013
【図８】
2008125070.tif 000014